(57)【要約】 【課題】  他店からの球の持ち込みや球の改造などの不正な遊戯使用や、爆弾などに仕込んで使う犯罪への使用、使用済みの球の不法投棄等の多くの問題が発生した場合において、その発生原因となったパチンコ球の出所が確実に判断できるパチンコ球を提供すること。【解決手段】  パチンコ球１表面にレーザー光線を照射してユーザー名を特定する文字、図形、記号などを刻印してある。パチンコ球１表面にレーザー光線を照射してユーザー名を特定する二次元コード又はバーコードを刻印してある。パチンコ球へのユーザー名などのマーキングを行うレーザー照射装置と、パチンコ球をレーザー照射装置からのレーザー光線が照射されるレーザー照射位置へと移送するとともに、一定期間、当該レーザー照射位置に静止させる移送・静止手段とからなるマーキング装置によって、パチンコ球１に刻印する。【選択図】  図１
2008137044.tif 000002
【特許請求の範囲】
【請求項１】
パチンコ球表面にレーザー光線を照射してユーザー名を特定する二次元コード又はバーコードを刻印してあることを特徴とするレーザーマーク付きパチンコ球。
【請求項２】
パチンコ球表面にレーザー光線を照射してユーザー名を特定する文字、図形又は記号を刻印してあることを特徴とするレーザーマーク付きパチンコ球。
【請求項３】
二次元コードは、製造年月日の情報を備えたものであることを特徴とする請求項１記載のレーザーマーク付きパチンコ球。
【請求項４】
製造年月日を特定する文字、図形又は記号についても刻印してあることを特徴とする請求項２記載のレーザーマーク付きパチンコ球。
【請求項５】
レーザー光線の媒質は、Ｎｄ：ＹＶＯ４、Ｎｄ：ＹＡＧ、又はＮｄ：ＣＯ２であることを特徴とする請求項１乃至４のいずれかに記載のレーザーマーク付きパチンコ球。
【請求項６】
請求項１乃至５のいずれかに記載のレーザーマーク付きパチンコ球のマーキング装置であって、
パチンコ球へのユーザー名などのマーキングを行うレーザー照射装置と、
パチンコ球をレーザー照射装置からのレーザー光線が照射されるレーザー照射位置へと移送するとともに、一定期間、当該レーザー照射位置に静止させる移送・静止手段と
からなるマーキング装置。
【請求項７】
請求項６記載のレーザーマーク付きパチンコ球のマーキング装置であって、
さらにマーキング後のパチンコ球をレーザー照射位置から排出する排出レールを有し、
前記移送・静止手段が、パチンコ球を前記レーザー照射位置へと移送するレール部と、昇降可能なストッパーとの組み合わせからなり、
前記ストッパーの昇降操作により、レール部によって移送されてきたパチンコ球をレーザー照射位置に静止させるとともに、マーキング後のパチンコ球を排出レールから排出させるようにしたことを特徴とするマーキング装置。
【請求項８】
請求項７記載のレーザーマーク付きパチンコ球のマーキング装置であって、
前記レール部と排出レールとが傾斜して設けられ、パチンコ球がその傾斜に沿って転がるようにしたことを特徴とするマーキング装置。
【請求項９】
請求項８記載のレーザーマーク付きパチンコ球のマーキング装置であって、
前記排出レールが、その上流端が前記レール部の下流端よりも高い位置に設けられ、
レール部の傾斜に沿って転がってきたパチンコ球を、上昇位置にあるストッパーの側面に当接させてレーザー照射位置において静止させ、この状態で１次マーキングを行い、
１次マーキング後、ストッパーを下降させてパチンコ球をストッパーの上面に移動させ、この状態で２次マーキングを行い、
２次マーキング後、再度ストッパーを上昇させてパチンコ球を排出レールから排出するようにしたことを特徴とするマーキング装置。
【請求項１０】
請求項９記載のレーザーマーク付きパチンコ球のマーキング装置であって、
当該マーキング装置が、前記レール部の上流端に、マーキング前のパチンコ球を収容するパチンコ球供給体を有している
ことを特徴とするレーザーマーク付きパチンコ球のマーキング装置。
【請求項１１】
請求項６記載のレーザーマーク付きパチンコ球のマーキング装置であって、
前記移送・静止手段が、パチンコ球を前記レーザー照射位置へと移送する回転体からなり、
前記回転体はモータによって断続的に回転するものとして、パチンコ球が、一定期間、レーザー照射部において静止するようにしたことを特徴とするマーキング装置。
【発明の詳細な説明】
【技術分野】
【０００１】
この発明は、レーザーマーク付きパチンコ球、及びそのマーキング装置に関するものである。
【背景技術】
【０００２】
近年、パチンコは非常に人気のある遊戯の一つとなってきており、老若男女にかかわらず多くの人が遊戯を楽しんでいる。
【０００３】
パチンコを楽しむ場合、ホールで購入したパチンコ球（貸し球）を使用するが、市場に流通しているパチンコ球のうち半数は無地であり、他の半数はそれぞれのホールのロゴマークを刻印したものとしてある（例えば、特許文献１）。なお、上記ロゴマーク入りのパチンコ球を使用するのは、自社店のパチンコ球と他社店のそれとが容易に見分けがつくようにするためである。
【０００４】
ところで、近年、パチンコ球に関して、他店からの球の持ち込みや球の改造などの不正な遊戯使用や、爆弾などに仕込んで使う犯罪への使用、使用済みの球の不法投棄といった多くの問題が発生しており、これら問題解決のため、出所などの情報についてのトレーサアビリティ（追跡可能性）を高める要望がでてきている。
【０００５】
しかしながら、従来は、型材の押し付けにより原球にマークを形成するようにしていたので熱処理後のパチンコ球には刻印を入れることは不可能であり、また、パチンコ球毎（又は少数のパチンコのロット毎）に相違する出所管理用のナンバリング等を入れるのは実質的に不可能であった。
【特許文献１】特開平８−２１８１５０
【発明の開示】
【発明が解決しようとする課題】
【０００６】
そこでこの発明では、出所管理をすることができるレーザーマーク付きパチンコ球、及びそのマーキング装置を提供することを課題とする。
【課題を解決するための手段】
【０００７】
（請求項１記載の発明）
この発明のレーザーマーク付きパチンコ球は、パチンコ球表面にレーザー光線を照射してユーザー名を特定する二次元コード又はバーコードを刻印してある。
【０００８】
（請求項２記載の発明）
この発明のレーザーマーク付きパチンコ球は、パチンコ球表面にレーザー光線を照射してユーザー名を特定する文字、図形又は記号を刻印してある。
（請求項３記載の発明）
この発明のレーザーマーク付きパチンコ球は、上記請求項１記載の発明に関し、二次元コードは、製造年月日の情報を備えたものである。
【０００９】
（請求項４記載の発明）
この発明のレーザーマーク付きパチンコ球は、上記請求項２記載の発明に関し、製造年月日を特定する文字、図形又は記号についても刻印してある。
【００１０】
（請求項５記載の発明）
この発明のレーザーマーク付きパチンコ球は、上記請求項１乃至４のいずれかに記載の発明に関し、レーザー光線の媒質は、Ｎｄ：ＹＶＯ４、Ｎｄ：ＹＡＧ、又はＮｄ：ＣＯ２である。
【００１１】
（請求項６記載の発明）
この発明のレーザーマーク付きパチンコ球のマーキング装置は、上記請求項１乃至５のいずれかに記載のレーザーマーク付きパチンコ球のマーキング装置に関し、パチンコ球へのユーザー名などのマーキングを行うレーザー照射装置と、パチンコ球をレーザー照射装置からのレーザー光線が照射されるレーザー照射位置へと移送するとともに、一定期間、当該レーザー照射位置に静止させる移送・静止手段とからなる。
【００１２】
（請求項７記載の発明）
この発明のレーザーマーク付きパチンコ球のマーキング装置は、上記請求項６記載の発明に関し、さらにマーキング後のパチンコ球をレーザー照射位置から排出する排出レールを有し、前記移送・静止手段が、パチンコ球を前記レーザー照射位置へと移送するレール部と、昇降可能なストッパーとの組み合わせからなり、前記ストッパーの昇降操作により、レール部によって移送されてきたパチンコ球をレーザー照射位置に静止させるとともに、マーキング後のパチンコ球を排出レールから排出させるようにしている。
【００１３】
（請求項８記載の発明）
この発明のレーザーマーク付きパチンコ球のマーキング装置は、上記請求項７記載の発明に関し、前記レール部と排出レールとが傾斜して設けられ、パチンコ球がその傾斜に沿って転がるようにしている。
【００１４】
（請求項９記載の発明）
この発明のレーザーマーク付きパチンコ球のマーキング装置は、上記請求項８記載の発明に関し、前記排出レールが、その上流端が前記レール部の下流端よりも高い位置に設けられ、レール部の傾斜に沿って転がってきたパチンコ球を、上昇位置にあるストッパーの側面に当接させてレーザー照射位置において静止させ、この状態で１次マーキングを行い、１次マーキング後、ストッパーを下降させてパチンコ球をストッパーの上面に移動させ、この状態で２次マーキングを行い、２次マーキング後、再度ストッパーを上昇させてパチンコ球を排出レールから排出するようにしている。
【００１５】
（請求項１０記載の発明）
この発明のレーザーマーク付きパチンコ球のマーキング装置は、上記請求項９記載の発明に関し、当該マーキング装置が、前記レール部の上流端に、マーキング前のパチンコ球を収容するパチンコ球供給体を有している。
【００１６】
（請求項１１記載の発明）
この発明のレーザーマーク付きパチンコ球のマーキング装置は、上記請求項１乃至５のいずれかに記載のレーザーマーク付きパチンコ球のマーキング装置に関し、前記移送・静止手段が、パチンコ球を前記レーザー照射位置へと移送する回転体からなり、前記回転体はモータによって断続的に回転するものとして、パチンコ球が、一定期間、レーザー照射部において静止するようにしている。
【発明の効果】
【００１７】
この発明のレーザーマーク付きパチンコ球によると、他店からの球の持ち込みや球の改造などの不正な遊戯使用や、爆弾などに仕込んで使う犯罪への使用、使用済みの球の不法投棄といった多くの問題が発生した場合において、その発生原因となったパチンコ球の出所を確実にトレース（追跡）することができる。
【発明を実施するための最良の形態】
【００１８】
以下にこの発明のレーザーマーク付きパチンコ球、及びそのマーキング装置を実施するための最良の形態としての実施例について詳細に説明する。
【００１９】
図１はこの発明のレーザーマーク付きパチンコ球の正面図、図２はこの発明の実施例１のマーキング装置の部分断面正面図、図３はこの発明の実施例１のマーキング装置のマーキング工程を説明した一部断面正面図、図４は図２のマーキング装置の部分断面側面図、図５は図２のマーキング装置の他の部分断面側面図、図６はこの発明の実施例２のマーキング装置の斜視図、図７はこの発明の実施例２のマーキング装置の部分断面側面図を示している。
【００２０】
（このパチンコ球１について）
このパチンコ球１は、図１に示すように、球面上にレーザー光線を照射してユーザー名（支店名を含む）を特定する文字及び図柄からなるロゴマーク２が刻印されている。
【００２１】
上記ロゴマーク２は、図１に示すように、その幅はパチンコ球の球径の１／４程度の範囲を占めており、上下の線相互間に「パチンコ  ○○○ホール」と刻印したものとしてある。したがって、店員からすれば自社店のパチンコ球と他社店のそれとが容易に見分けがつくことになり、計数器内に投入された状態において比較的容易に他店のパチンコ球を取り除くことができるようになっている。
【００２２】
（このレーザーマーク付きパチンコ球１の製造方法について）
このレーザーマーク付きパチンコ球１は、大まかにいうと以下の（１）〜（７）の工程を経て製造される（一例）。
（１）棒材をヘッダーマシンにより、球形へと加工するヘッダー工程
（２）荒・中・仕上げの３工程で原球の時点から球精度を高めるフラッシング工程
（３）フラッシング工程が終了した球体の表面を焼き入れる焼き入れ工程
（４）メッキの耐久性を上げるべく鏡面研磨するバレル研磨工程
（５）ユーザー名（支店名を含む）を特定するロゴマーク２を刻印する刻印（マーキング）工程
（６）球体の表面にメッキを施すメッキ工程
（７）検品工程
【００２３】
ここで、上記マーキング工程では、レーザー媒質をＮｄ：ＹＡＧとしたレーザーマーカー〔例えば、株式会社キーエンス：完全空冷方式ＹＡＧレーザーマーカー〕を使用することによりロゴマーク２が刻印できる。この手法によると、パチンコ球毎、ロット毎に相違する出所管理用あるいは識別用のロゴマーク２を入れることができる。さらに、この手法によると、非接触のため刻印印字がいらず、熱処理後の加工ができるので従来の方法より納期短縮ができ、また、刻印を打ち込むという方法を使用しないので球の真球度に対して悪影響を与えるようなことがない、というメリットがある。
【００２４】
（実施例１）
具体的には、上記マーキング工程では、図２に示されるようなマーキング装置３によって、パチンコ球１へのユーザー名（支店名を含む）を特定するロゴマーク２の刻印（マーキング）が行われる。本実施例におけるマーキング装置３は、上記バレル研磨工程後のパチンコ球１を多数収容するパチンコ球供給体４と、パチンコ球１の表面にレーザー光線Ｒを照射してユーザー名（支店名を含む）を特定するロゴマーク２を刻印するレーザー照射装置５と、パチンコ球供給体４から供給されるパチンコ球１をレーザー照射装置５からのレーザー光線Ｒが照射されるレーザー照射位置Ｓへと移送するレール部６と、パチンコ球１を、一定期間、レーザー照射位置Ｓにおいて静止させるストッパー７と、マーキング後のパチンコ球をレーザー照射位置Ｓから排出する排出レール８とからなる。ここで、パチンコ球１へのロゴマーク２などの刻印は、パチンコ球１がストッパー７によってレーザー照射位置Ｓに静止させられている間に行われる。
【００２５】
レーザー照射装置５として、本実施例では、上述した株式会社キーエンス社の完全空冷方式ＹＡＧレーザーマーカーを使用しており、図２乃至５において、レーザー照射装置５から延びる複数の矢印はレーザー光線Ｒを表している。また、このレーザー光線Ｒが照射される範囲をレーザー照射位置Ｓとしている（図３参照）。なお、レーザー照射装置５は、レーザー照射位置Ｓにある複数のパチンコ球１に対して一度に複数のレーザー光線Ｒを照射できるものや、レーザー光線Ｒ自体は一本のみでその光線が順次移動してレーザー照射位置Ｓにある複数のパチンコ球１を照射するようなものでもよい。
【００２６】
レール部６は、本実施例において、一端がパチンコ球供給体４に接続された８列のレールからなるものとし、各レール間を７個のパチンコ球１が移送されるものとなっている（図４参照）。また、レール部６は、図２および図３に示されるように、正面視において右下がりに傾斜しており、パチンコ球供給体４から供給されたパチンコ球１が、この傾斜に沿ってレール上を自動的に転がり落ちるものとなっている。さらに、レーザー照射装置５からのレーザー光線Ｒが照射される範囲（レーザー照射位置Ｓ）にあるレール部６を、昇降可能な昇降レール６ａとし、後述するように、昇降レール６ａを上昇位置へと操作して、レーザー照射位置Ｓにあるマーキング後の複数のパチンコ球１を一度に排出レール８から排出させるものとしている。昇降レール６ａは、図４に示すように、その底部に設けられた軸部を例えばシリンダなどを用いて上下動させることにより、昇降可能としている。
【００２７】
レール部６には、さらに、図５に示すように、各レール間において昇降可能な複数の棒状部材からなるシャッター９が設けられ、シャッター９の上昇時には、所定数以上のパチンコ球１がレーザー照射位置Ｓへと進入することを防止している（図３（ｃ）参照）。シャッター９の複数の棒状部材は、その下端部において連結体９ａによって接続され、連結体９ａの底面に設けられた軸部を例えばシリンダなどを用いて上下動させることにより、昇降可能としている。
【００２８】
ストッパー７は、図２および図３に示されるように、レール部６（昇降レール６ａ）の下流端部に昇降可能に設置され、上昇時には、レール部６の傾斜に沿って転がってきたパチンコ球１を受け止めるストッパーの役割を果たし、下降時には、最下流側にあるパチンコ球１がストッパー７の上部に移動できるものとしている（図３（ｃ）参照）。なお、ストッパー７のパチンコ球１との接触部を、図２や図３に示されるような断面く字状に形成することにより、ストッパー７の下降に伴うパチンコ球１のストッパー７の上面への移動が容易になるものとしている。ここで、ストッパー７は、パチンコ球１が当接した際にパチンコ球１への傷やへこみを防止するため、ゴムなどの弾性部材からなるものとしてもよい。
【００２９】
排出レール８は、レール部６と同様に傾斜した８列のレールからなり、図２および図３に示されるように、その上流端（ストッパー７との係合端部）がレール部７（昇降レール６ａ）の下流端よりも高い位置にくるように、段差を設けて設置される。この段差により、ストッパー７が下降状態にある場合にも、パチンコ球１が排出レール８から排出されてしまうことを防止する（図３（ｃ）参照）。
【００３０】
次に、マーキング装置３によるマーキング工程の流れについて説明すると、先ず、パチンコ球供給体４から供給されたパチンコ球１は、図３（ａ）に示されるように、レール部６上をその傾斜に沿って転がり落ちる。その後、パチンコ球１は、図３（ｂ）に示されるように、ストッパー７に突き当たってレーザー照射位置Ｓにおいて静止することとなり、レーザー照射位置Ｓには所定数（本実施例においては７個×７個の合計４９個）のパチンコ球１がセットされる。この状態で、図３（ｂ）に示されるように、レーザー照射装置５からレーザー光線Ｒを照射することにより、合計４９個のパチンコ球１の上面部分に一度にユーザー名（支店名を含む）を特定するロゴマーク２が刻印される（１次マーキング）。
【００３１】
１次マーキング後、図３（ｃ）に示されるように、シャッター９を上昇させるとともに、ストッパー７を下降させることにより、レーザー照射位置Ｓへのマーキング前のパチンコ球１の進入を防止しつつ、レーザー照射位置Ｓにあるパチンコ球１を半回転させる。つまり、ストッパー７を下降させると、ストッパー７の側面に当接していたパチンコ球１がストッパー７の上面に乗っかる態様で回転移動（半回転）するため、その他のパチンコ球１も同様に回転移動することとなる。ここで、排出レール８は、前述したように、レール部６（昇降レール６ａ）の下流端部よりも高い位置に段差を設けて設置されているため、ストッパー７の上面に移動したパチンコ球１が排出レール８から排出されてしまうことはない。この状態で、図３（ｃ）に示されるように、レーザー照射装置５から２回目のレーザー光線Ｒを照射することにより、１次マーキングとは１８０°反対のパチンコ球表面にユーザー名（支店名を含む）を特定するロゴマーク２を刻印することができる（２次マーキング）。なお、２次マーキングが施される場所は、ストッパー７の幅７ａによって決まる。本実施例では、ストッパー７の幅７ａをパチンコ球１の半周分としているため、ストッパー７の降下によりパチンコ球１が半回転するので、１次マーキングとは１８０°反対の表面に２次マーキングが施される。したがって、ストッパー７の幅７ａを適宜変更することにより、２次マーキングの刻印箇所を自由に変更できる。
【００３２】
２次マーキング後、図３（ｄ）に示されるように、排出レール８の段差分、昇降レール６ａとストッパー７を上昇させることにより、マーキング後のパチンコ球１を排出レール８へと送り出して回収できる。そして、レーザー照射位置Ｓにある全てのパチンコ球１を排出した後は、上昇位置にあるシャッター９及び昇降レール６ａを下降させることにより、図３（ａ）に示される状態に戻るため、マーキング前のパチンコ球１が新たにレーザー照射位置Ｓにセットされることとなる。なお、パチンコ球１へのマーキング操作や、昇降レール６ａ、ストッパー７、シャッター９の各部材の昇降操作などは、コントローラ１０によって行われるものとしている。
【００３３】
上述したマーキング装置３では、パチンコ球供給体４にパチンコ球１を供給するだけで、一連の流れにおいて自動的にパチンコ球表面へのユーザー名を特定するロゴマーク２の刻印からマーキング後のパチンコ球１の回収までを行うことができる。また、レーザー照射位置Ｓにある複数のパチンコ球１に対し一度にまとめて刻印を施すことができるため、作業効率が飛躍的に向上する。さらに、上記マーキング装置３では、一連の流れにおいてパチンコ球１の両面に刻印を施すことができる。両面に刻印を施したものは、片面のみの場合と比較して、自社のパチンコ球か他社の、あるいは不正なパチンコ球かの目視による確認がより容易となる。
【００３４】
（実施例２）
なお、上記マーキング工程では、図６および図７に示されるようなマーキング装置３´によって、パチンコ球１へのユーザー名（支店名を含む）を特定するロゴマーク２の刻印（マーキング）が行われるものとしてもよい。本実施例におけるマーキング装置３´は、上記バレル研磨工程後のパチンコ球１を多数収容するパチンコ球供給体４と、パチンコ球１の表面にレーザー光線Ｒを照射してユーザー名（支店名を含む）を特定するロゴマーク２を刻印するレーザー照射装置５と、パチンコ球供給体４から供給されるパチンコ球１をレーザー照射装置５からのレーザー光線Ｒが照射されるレーザー照射位置Ｓへと移送するとともに、レーザー照射位置Ｓにおいて一定期間静止させる回転装置１１とからなる。なお、上記実施例１と同じ部材については、同じ参照番号を付している。
【００３５】
回転装置１１は、複数の保持孔Ｈを有する回転体１１ａと、その下部に設けられた支持板１１ｂと、本体部１１ｃとからなり、回転体１１ａは、例えばステッピングモータＭによって所定間隔に断続的に回転するものとしている。保持孔Ｈはパチンコ球１よりも大きく形成され、パチンコ球供給体４から保持孔Ｈへと供給されたパチンコ球１は、支持板１１ｂの上に置かれる。このとき、支持板１１ｂ上に置かれたパチンコ球１の上部が保持孔Ｈから突出するように、回転体１１ａと支持板１１ｂとの距離は調節されている。これは、パチンコ球１の上部を保持孔Ｈから突出させることにより、レーザー照射装置５からのレーザー光線Ｒがパチンコ球表面に照射され易くするためである。
【００３６】
次に、マーキング装置３´によるマーキング工程の流れについて説明すると、図６および図７に示されるように、先ずパチンコ球供給体４に収容されたパチンコ球１が、１個ずつ回転体１１ａの保持孔Ｈに保持される態様で支持板１１ｂ上に落とされる。このとき、回転体１１ａは、ステッピングモータＭによって断続的に反時計回りに回転するよう設定されているため、保持孔Ｈに保持されたパチンコ球１は支持板１１ｂ上を反時計回りに摺動移動あるいは回転移動する。その後、レーザー照射位置Ｓまで回転移送されたパチンコ球１は、回転体１１ａが静止状態にある間にレーザー照射装置５からのレーザー光線Ｒによってその表面にユーザー名（支店名を含む）を特定するロゴマーク２が刻印（マーキング）される。マーキング後のパチンコ球１は、同図に示されるように、支持板１１ｂに設けられた排出孔１２を介して排出、回収される。なお、回転装置１１は、本体部１１ｃに設けられた電源などの各種スイッチを有するコントローラ部の操作により、ステッピングモータＭの回転方向や回転間隔を制御可能としている。
【００３７】
上記したようなマーキング装置３´では、パチンコ球供給体４にパチンコ球１を供給するだけで、一連の流れにおいて自動的にパチンコ球表面へのユーザー名を特定するロゴマーク２の刻印からマーキング後のパチンコ球１の回収までを行うことができる。また、マーキング装置３´は装置全体が小型であり、構造が比較的単純であるため、安価に製造可能である。
（このパチンコ球１の優れた点について）
このパチンコ球１には、ユーザー名（支店名を含む）を特定するロゴマーク２が刻印されているから、当該パチンコ球１の出所（ユーザー名（支店名を含む））が確実に且つ迅速に調べがつくことになる。
【００３８】
したがって、他店からの球の持ち込みや球の改造などの不正な遊戯使用や、爆弾などに仕込んで使う犯罪への使用、使用済みの球の不法投棄等の多くの問題が発生した場合において、トレーサアビリティ効果により事件の解決が素早くできる可能性が高くなる。
（その他について）
上記実施例１では、レール部６を複数のレールからなるものとしているが、１本のレールからなるものでもよく、またレーザー照射位置Ｓの範囲を昇降可能な昇降レール６ａとしているが、これに限らず、レール部６全体が昇降可能なものとしてもよい。あるいはレール部６が昇降機能を有さないものであっても、ストッパー７の昇降操作によってパチンコ球１を排出レール８から排出するようなものや、排出レール８を昇降可能としてもよい。
【００３９】
また、上記実施例では、ユーザー名（支店名を含む）を特定する文字及び図柄からなるロゴマーク２を刻印してあるが、これに限られず、ユーザー名（支店名を含む）を特定する複数の数字や、数字以外の文字（平仮名、外国語の文字等）あるいは記号であってもよい。なお、レーザー照射によれば、従来の型材の押し付けでは難しかった比較的小さいサイズのマークを刻印でき、ユーザー名（支店名を含む）を特定する数字などの印幅を０．０４ｍｍ程度とすると共に一個の数字の大きさを約０．２〜０．３ｍｍ程度にできる。なお、数字の桁数は、ユーザー名（支店名を含む）が特定できるものであればよいが、製造年月日が特定できる程度の桁数を有することが好ましい。また、この数字は一個一個が相互に相違するものとしてもよいし、また、数百個、数千個を一ロットとして数字を変えるようにしてもよい。
【００４０】
さらに、ユーザー名（支店名を含む）を特定する文字及び図柄からなるロゴマーク２に変えてバーコード又は二次元コード（スタック型二次元コード：従来のバーコードを縦に積み上げたもの、マトリクス型二次元コード：ＱＲコード／Ｄａｔａ  Ｍａｔｒｉｘ／Ｖｅｒｉ  Ｃｏｄｅ）の刻印とすることができる。このような二次元コードの読み取りについては読取器（例えば株式会社キーエンス：ＴＬ８００）を使用すればよい。
【００４１】
上記実施例では、ユーザー名（支店名を含む）を特定する複数の数字３の刻印手段を、レーザー媒質をＮｄ：ＹＡＧとしたレーザーマーカーに変えて、レーザー媒質をＮｄ：ＹＶＯ４としたレーザーマーカー、あるいはＮｄ：ＣＯ２としたレーザーマーカーとしてもよい。
【００４２】
また、既知の虹色発色加工法を利用して、パチンコ球１に施されたロゴマーク２などの刻印を虹色発色させるようにしてもよい。これにより、蛍光灯などの光でロゴマーク２が照明されると、反射光沢の色合いが見る方向によって虹模様に変化し、加飾効果が向上すると共に、店員からすれば自社店のパチンコ球と他社店のそれとが容易に見分けがつくことになり、計数器内に投入された状態において比較的容易に他店のパチンコ球を取り除くことができる。
【図面の簡単な説明】
【００４３】
【図１】この発明の実施例のパチンコ球にユーザー名（支店名を含む）を特定するロゴマークを入れた状態を示す正面図。
【図２】この発明の実施例１のマーキング装置の部分断面正面図。
【図３】この発明の実施例１のマーキング装置のマーキング工程を説明した一部断面正面図。
【図４】図２のマーキング装置の部分断面側面図。
【図５】図２のマーキング装置の他の部分断面側面図。
【図６】この発明の実施例２のレーザーマーク付きパチンコ球のマーキング装置５の斜視図。
【図７】この発明の実施例２のレーザーマーク付きパチンコ球のマーキング装置５の部分断面側面図。
【符号の説明】
【００４４】
Ｈ          保持孔
Ｒ          レーザー光線
Ｓ          レーザー照射位置
１          パチンコ球
２          ロゴマーク
３          マーキング装置
４          パチンコ球供給体
５          レーザー照射装置
６          レール部
７          ストッパー
８          排出レール
９          シャッター
１１        回転装置
【図１】
2008137044.tif 000003
【図２】
2008137044.tif 000004
【図３】
2008137044.tif 000005
【図４】
2008137044.tif 000006
【図５】
2008137044.tif 000007
【図６】
2008137044.tif 000008
【図７】
2008137044.tif 000009